(57)【要約】  【課題】原稿サイズに応じて閾値を可変とし、コピー禁止等の特定情報に応じた処理を確実に実行できる画像処理装置を提供する。  【解決手段】画像データと共に該画像データとは異なる画像からなる特定情報を処理するときに、その特定情報の検出数に応じて特定情報を採用するか否かを決定する閾値を記録媒体の大きさに応じて可変とする。記録媒体のサイズが小さく、そのため特定情報が少なくても低い閾値により、検出数が閾値を上回り、特定情報を認識することができる。そのため、コピー禁止などの特定情報に応じた処理を正しく実行することができる。【選択図】図１０
2007300292.tif 000002
【特許請求の範囲】
【請求項１】
画像データと共に該画像データとは異なる画像からなる特定情報を処理するときに、その特定情報を採用するか否かを決定する特定情報数閾値を特定情報読取範囲の大きさに応じて可変することを特徴とする画像処理装置。
【請求項２】
特定情報読取範囲は記録媒体の大きさに応じて画定することを特徴とする請求項１に記載の画像処理装置。
【請求項３】
特定情報読取範囲は、前記画像情報の中から抽出した陰影情報に基づいて画定することを特徴とする請求項１又は２に記載の画像処理装置。
【請求項４】
特定情報読取範囲の大きさが所定サイズ未満のときは前記閾値を特定情報読取範囲の大きさに応じて変化させ、特定情報読取範囲の大きさが所定サイズ以上のときは前記閾値を変化させないことを特徴とする請求項１に記載の画像処理装置。
【請求項５】
画像データおよび特定情報はスキャナ装置によって読み取られた情報であることを特徴とする請求項１〜４に記載の画像処理装置。
【発明の詳細な説明】
【技術分野】
【０００１】
本発明は、画像データとは異なる、コピー禁止やコピー牽制等の特定情報が入力された場合に特定情報に応じた処理を実行する画像処理装置に関する。
【背景技術】
【０００２】
画像処理装置に入力される画像情報には、原稿の不正な処理を防止するために、画像データとは別に、コピー禁止情報やコピー牽制情報等の特定情報が埋め込まれている。
【０００３】
画像処理装置では、入力された画像情報に特定情報が含まれていることを検出すると、その特定情報に応じて所定の処理がなされる。また、画像処理装置では、原稿にゴミや異物等が付着した状態で原稿を読み取られた場合、埋め込まれた特定情報を検出できなくなるおそれがある。
【０００４】
このような特定情報の誤判別を防止するために、検出する特定情報数に閾値を設け、原稿読取時などの画像情報の入力時に、検出した複数（５〜６個）の特定情報が前記閾値を超えた場合にのみ、その特定情報に盛り込まれた処理を実行するようにしている。
【０００５】
特許文献１には、画像データの特徴量データと、ＲＯＭに予め格納された紙幣や有価証券などの特定画像の特徴量データとを比較し、画像データの種類毎に画像データの特徴量データと特定画像の特徴量データの一致率の閾値を設定し、前記一致率が閾値以上であった場合に画像データの画像形成を行なわないようにして不正コピーを禁止した画像形成装置が開示されている。
【特許文献１】特開２００１−９４７７１号公報
【発明の開示】
【発明が解決しようとする課題】
【０００６】
ところで、原稿サイズが小さい場合、必然的に特定情報数も少なくなり、検出された特定情報数が閾値を超えない場合がある。例えば、図３は文字や記号等の多数の特定情報を配列した例を示す。同図（Ａ）はＡ４サイズの用紙に特定情報４４をシーケンシャルに配置した例を、（Ｂ）はＡ４サイズの用紙に特定情報４４をランダムに配列した例を示す。同図（Ｃ）は同図（Ａ）の用紙が複数のラベル紙に分割された場合を示し、同図（Ｄ）は同図（Ｂ）の用紙が複数のラベル紙に分割された場合を示す。同図（Ｃ）（Ｄ）に示すように、Ａ４サイズの用紙が複数のラベル紙に分割される場合、特定情報４４ａがラベル紙４１の境界を跨ぎ、途中で途切れる場合がある。
【０００７】
この場合、画像処理装置の検出部では、途切れた情報４４ａは特定情報として認識せず、その結果、特定情報数が閾値を超えず、コピー禁止などの特定情報に対応した処理を正しく実行できないという課題があった。
【０００８】
本発明は、上記に鑑み、原稿サイズに応じて閾値を可変とし、コピー禁止等の特定情報に応じた処理を確実に実行できる画像処理装置の提供を目的とする。
【課題を解決するための手段】
【０００９】
上記目的を達成するため、本発明に係る画像処理装置は、画像データと共に該画像データとは異なる画像からなる特定情報を処理するときに、その特定情報を採用するか否かを決定する特定情報数閾値を特定情報読取範囲の大きさに応じて可変することを特徴とする。
【００１０】
上記構成によると、特定情報読取範囲の大きさに応じて閾値を変更するので、特定情報読取範囲のサイズが小さく、そのため特定情報数が少なくても低い閾値を設定することにより、検出数が閾値を上回り、特定情報を認識することができる。そのため、コピー禁止などの特定情報に応じた処理を正しく実行することができる。
【００１１】
ここで、特定情報とは、コピー禁止やコピー牽制、送信禁止等、本来の画像データとは異なる情報をいう。この特定情報は、特定の文字や記号、図形等が直線状あるいは曲線状に配列されて特定のパターンを構成する。
【００１２】
特定情報数閾値の変更は、特定情報読取範囲の大きさに応じて行なう。特定情報読取範囲は、例えば、記録媒体の大きさに応じて画定することができる。記録媒体は、情報の記録、伝達および保管に用いられる媒体であって、用紙等の紙媒体のほか、電磁的記録媒体および光学的記録媒体を含む。記録媒体の大きさは、例えば、面積で判断する。また、記録媒体の大きさは、通常、スキャナー等の読取装置で読み取る用紙のサイズから認識する。電磁的記録媒体や光学的記録媒体の場合、記録媒体の大きさとは、１ページのサイズに相当する大きさをいう。
【００１３】
また、特別の場合、特定情報読取範囲は、画像情報の中から抽出した陰影情報に基づいて画定する。例えば、宛名ラベル紙が貼られた封筒の画像情報をスキャナーで読み取る場合、原稿サイズセンサで読み取った封筒のサイズ以外に、貼付された宛名ラベル紙の周縁にラベル紙厚によって段差が生じ、ラベル紙の周縁に陰影が生じる。この陰影情報を特定情報が付与された読取範囲と認識し、その読取範囲に応じた閾値を設定する。
【００１４】
そして、陰影情報により画定された読取範囲に付与されている特定情報数を前記閾値と比較し、特定情報数が閾値を超えている場合、その特定情報に応じた処理を実行する。
【００１５】
画像処理装置に入力される画像情報は、通常、スキャナー装置によって読み取られる情報であるが、これに限らず、ハードディスクに格納された画像情報や、ネットワークを通じて受信された画像情報であってもよい。ハードディスクに格納された画像情報から記録媒体の大きさを認識する場合は、管理部に格納されたヘッダ情報から１ページのサイズ情報を得ることができる。
【００１６】
また、特定情報読取範囲の大きさが小さいほど閾値を小さくし、読取範囲が大きいほど、閾値を大きく設定する。また、特定情報読取範囲の大きさが所定サイズ未満では前記閾値を特定情報読取範囲の大きさに応じて変化させ、特定情報読取範囲の大きさが所定サイズ以上のときは前記閾値を変化させないようにすることもできる。特定情報が多すぎる場合に生じる印刷画像の違和感を解消するためである。
【００１７】
なお、宛名ラベル紙のように分割可能な用紙としては、タグ紙あるいは名刺等を例示することができ、これらは一枚の用紙から複数枚に分割可能になっており、分割して他の原稿（用紙）に貼付して使用される。
【発明の効果】
【００１８】
以上のとおり、本発明によると、特定情報読取範囲の大きさに応じて閾値を変更するので、特定情報読取範囲のサイズが小さく、そのため特定情報が少なくても低い閾値の設定により、検出数が閾値を上回り、特定情報を認識することができる。そのため、コピー禁止などの特定情報に応じた処理を正しく実行することができる。
【発明を実施するための最良の形態】
【００１９】
本実施形態の画像処理装置を図１に示す。本画像処理装置は、コピーモード、プリンタモード、スキャナモードおよびファクシミリモードを有するデジタル複合機であり、原稿を読み取って画像データを入力する画像読み取り部１と、ユーザの入力を受け付ける操作部２と、入力された画像データの印刷を行う画像形成部３と、画像データを保存するハードディスク装置４と、外部機器とのデータ通信を行う通信部５と、ファクシミリ装置６と通信するためのＦＡＸモデム７と、装置全体の制御情報や設定情報等を記憶している管理部８と、装置全体の制御を司るＣＰＵからなる機器制御部９とを備えている。
【００２０】
画像読み取り部１は、画像を入力する画像入力手段として機能し、ＣＣＤ１０といった撮像素子と、原稿台や自動原稿送り装置（ＡＤＦ）にセットされた原稿を検知する原稿検知センサ１１とを有する。ＣＣＤ１０によって読み取られた画像の画像データは画像形成部３に出力される。
【００２１】
操作部２は、操作パネルを備え、各種入力キーからなる入力部１２と、液晶ディスプレイ等の表示部１３とを有する。装置全体の操作や各種設定の入力が行われ、入力内容や装置全体の動作状況が表示される。なお、表示部１３は、タッチパネルとされ、入力部としても機能する。
【００２２】
画像形成部３は、入力された画像データを記憶するローカルメモリ２０と、レーザ走査ユニットを有する印字部２１と、手差しトレイ、カセットトレイを備えた給紙部２２と、排紙トレイを備えた排紙部２３と、画像処理部２４と、暗号化複合化部２５とを有する。
【００２３】
ローカルメモリ２０は、ＳＤＲＡＭ、フラッシュメモリ等の読み書き可能な半導体メモリを用いる。ローカルメモリ２０は、入力された画像データを記憶する領域と、出力するための画像データを記憶する領域とに分割されている。なお、１つのローカルメモリ２０を分割して使用する代わりに、２つのローカルメモリ２０を入力用と出力用として、それぞれ使用してもよい。
【００２４】
入力された画像データはローカルメモリ２０に記憶される。ローカルメモリ２０は、古い画像データに新しい画像データを上書きすることにより、画像データを記憶する。画像データは、画像処理部２４によって圧縮、伸張、加工等の画像処理が行われ、ローカルメモリ２０に記憶される。画像処理された画像データが印字部２１、ハードディスク装置４あるいは機器制御部９に出力される。印字部２１は、ローカルメモリ２０に記憶された画像データに基づいて、給紙部２２から供給される記録シートに画像を印刷する。
【００２５】
通信部５は、ＬＡＮケーブルを介してルータ、スイッチングハブ等に接続され、パソコン、サーバ等の情報処理装置３０によって形成されたネットワークと接続される。ネットワークは、電話回線網や光ファイバ等の通信回線を介してインターネットに接続される。通信部５は、ネットワーク内の情報処理装置３０とデータの送受信を行うとともに、インターネットを通じて外部の情報処理装置３０やファクシミリ装置３１とデータや電子メールの送受信を行う。ＦＡＸモデム７は、電話線を介して電話回線網に接続され、外部のファクシミリ装置６とファクシミリ通信を行う。
【００２６】
機器制御部９は、操作部２からの入力や外部機器からのデータ入力があると、管理部８に記憶されている情報に基づいて各部を制御して、入力された画像データを処理する。すなわち、入力された画像データに対してコピーモード、プリンタモード、スキャナモード、ファクシミリモードのいずれかを実行して、入力された画像データを所望の形態で出力する。
【００２７】
ハードディスク装置４は、画像データを一時的に保存する。暗号化復号化部２５は、画像データに対して暗号化処理あるいは復号化処理を行う。ハードディスク装置４に画像データが保存されるとき、暗号化復号化部２５によって、画像データは暗号化される。ハードディスク装置４から暗号化された画像データを読み出すとき、画像データは復号化される。
【００２８】
また、ハードディスク装置４は、画像データ以外のデータとして、データの処理に関する管理情報を記憶する。管理情報としては、ファイリング管理情報、送信先管理情報、履歴管理情報である。ファイリング管理情報は、入力された画像データを保存したファイルのリストである。送信先管理情報は、ファクシミリ通信における送信先のリストである。履歴管理情報は、実行した処理内容のリストである。
【００２９】
そして、ハードディスク装置４の画像データを消去する消去手段３２を備えている。消去対象の画像データは、処理作業エリアに記憶されているデータである。機器制御部９が、画像データを処理して出力した後に消去手段３２の動作を制御する。消去手段３２は、ランダムなデータや無意味なデータを上書きしたり、あるいはデータを消去したりして、記憶されていた画像データを読み取り不可能にして、元の画像を再現できないように無効化する。なお、消去手段３２は、ローカルメモリ２０に対しても、上書きにより古い画像データを消去する、あるいは画像データを消去することによって、画像データを無効化するようにしてもよい。なお、ハードディスク装置４に記憶されている管理情報は、機器制御部９からの指令がない限り消去されない。
【００３０】
次に、各モードを実行するときの動作を説明する。まず、コピーモード時には、画像読み取り部１により読み取られた原稿の画像データが、画像形成部３から複写物として出力される。具体的には、読み取り位置にセットされた原稿の画像をＣＣＤ１０によって読み取る。ＣＣＤ１０から出力された画像データは、画像処理部２４により、ローカルメモリ２０上で画像処理され、出力画像として完成される。一旦ローカルメモリ２０からハードディスク装置４に転送されて保存される。原稿が複数ある場合は、この読み取り、記憶の動作が繰り返される。
【００３１】
その後、操作部２から指示された処理内容に基づいて、ハードディスク装置４に保存された画像データが適切なタイミングで順次読み出され、ローカルメモリ２０に送られる。そして、印字部２１への書き込みタイミングに合わせて、画像データがローカルメモリ２０から印字部２１へと転送され、給紙部２２から供給されたシート材に画像が印刷され、シート材は排紙部２３により排出される。
【００３２】
また、読み取った画像データを複数枚印刷する場合も同様に、画像データが出力画像としてページ単位でハードディスク装置４へ記憶され、出力するモードに合わせてハードディスク装置４からローカルメモリ２０に送られる。ローカルメモリ２０の画像データは、出力枚数の分だけ繰り返し、印字部２１への書き込みタイミングに合わせて印字部２１へ転送される。
【００３３】
プリンタモード時には、情報処理装置３０から出力された画像データが、出力処理される。すなわち、情報処理装置３０からの画像データが、通信部５により受信される。機器制御部９は、入力された画像データをローカルメモリ２０に送り、出力する画像データとしてページ単位に展開し、一旦ハードディスク装置４に保存する。そして、画像データは、ハードディスク装置４からローカルメモリ２０に送られ、コピーモードの場合と同様にして印字部２１へと転送され、画像がシート材に印刷される。
【００３４】
スキャナモード時には、画像読み取り部１において読み取られた原稿の画像データが、ネットワークを通じて任意の情報処理装置３０にデータ通信される。すなわち、ＣＣＤ１０から出力された画像データは、ローカルメモリ２０上で画像処理されて出力画像として完成され、一旦ハードディスク装置４へ保存される。そして、送信するとき、画像データがハードディスク装置４からローカルメモリ２０に送られ、機器制御部９は、操作部２を介して指示されたネットワーク内の送信先との通信を確立させ、通信部５から目的の送信先に画像データを送信する。同様に画像データは、通信部５によりネットワークからインターネットを通じて、外部の情報処理装置３０やファクシミリ装置３１にも送信される。また、機器制御部９は、ファクシミリモード時にも同様の動作によって、ＦＡＸモデム７から電話回線を通じてファクシミリ装置６に画像データを送信する。
【００３５】
上記のように画像入力手段から入力された画像の処理が完了したとき、消去手段３２がハードディスク装置４に保存された画像データを消去する。
【００３６】
また、機器制御部９は、暗号化の指示があったとき、暗号化復号化部２５を制御して、画像処理された画像データを暗号化キーにより暗号化する。この暗号化処理は、ＡＥＳ（Advanced Encryption Standard）等の公知のアルゴリズムによって演算処理する。暗号化された画像データは、ハードディスク装置４やメモリ２０に記憶される。
【００３７】
また、機器制御部９は、入力された画像データの中に存在する特定情報４４を検出する特定情報検出手段を備え、その検出結果に基づいて特定情報４４に含まれる処理を実行するようになっている。特定情報は、特定の文字や記号、図形等が直線状あるいは曲線状に配列されて特定のパターンを構成する。機器制御部９では、入力された画像データから前記特定パターンを検出して特定情報であることを認識する。
【００３８】
すなわち、機器制御部９は、図４に示すように、画像データと共に特定情報４４が入力されたときに、特定情報４４を検出してその数をカウントし、そのカウント数がｎ個以上のときは特定情報に応じた処理を行なう。例えば、特定情報がコピー禁止処理である場合、印刷を禁止する処理を実行する。特定情報のカウント数がｎ個に達しない場合や特定情報が存在しない場合、そのまま印刷などの処理を実行する。
【００３９】
この場合、機器制御部９では、入力された特定情報４４の検出数に応じて特定情報を採用するか否かを決定する閾値Ｎを特定情報読取範囲の大きさに応じて可変する。すなわち、機器制御部９では、特定情報読取範囲の大きさを認識する読取範囲認識部と、該読取範囲認識部からの認識サイズに応じて特定情報数の閾値を可変する閾値可変部とを備えている。
【００４０】
特定情報読取範囲は記録媒体４３の大きさに応じて、あるいは入力された画像情報の中から抽出した陰影情報４２に基づいて画定する。
【００４１】
記録媒体４３の大きさは、入力された原稿サイズから検出する。原稿サイズは、図５に示すように、画像読み取り部１に設けられた複数の原稿サイズ検知センサ１１からの出力に基づいて検出する。画像読み取り部１には、その周縁部の縦辺のＷ，Ｘ，Ｙ，Ｚの位置に、また、横辺のＡ，Ｂ，Ｃの位置にそれぞれ原稿検知センサ１１が配列されている。定型サイズの原稿を検出する場合、図６のテーブルに示すセンサー入力があった場合、左欄の用紙サイズであると認識される。
【００４２】
しかし、読み取り部１に載置された原稿４３が不定形サイズの場合には、例えば、図５に示す原稿４３の場合、原稿サイズ検知センサー１１の「Ｗ」だけがＯＮとなる。この場合、読取範囲認識部では、横方向は「Ａ５Ｒ」以下、縦方向は「Ａ５」以上、「Ａ５Ｒ」以下と認識し、原稿の読み取り領域を「Ａ５Ｒ」と特定する。このように、不定形サイズの原稿を検出した場合、原稿サイズ検知センサー１１から得られたサイズ情報よりも１つ大きい原稿を選択して、不定形サイズの原稿の特定情報読取範囲とすることができる。
【００４３】
図７は用紙サイズと設定閾値との関係を示す図、図８は用紙面積と特定情報数の閾値との関係を示す図である。機器制御部９では、図７のテーブルに示すように、用紙サイズに応じて特定情報数の閾値を設定しておく。閾値は、図８に示すように、その面積に応じて可変としておく。用紙面積が６０００ｍｍ２未満の場合の閾値はＮ１、６０００〜１６０００ｍｍ２未満の場合はＮ２、１６０００〜６６０００ｍｍ２未満の場合はＮ３、６６０００ｍｍ２以上の場合はＮ４とする（ただし、Ｎは整数で、Ｎ４＞Ｎ３＞Ｎ２＞Ｎ１）。
【００４４】
６６０００ｍｍ２以上のサイズの場合、閾値を高く設定すると、特定情報数が増えて印刷画像に違和感を感じるおそれがあるため、所定サイズ（例えば、６６０００ｍｍ２）以上のときは閾値を変化させないようにする。図７のＡ１サイズからＡ３サイズおよびＢ１サイズからＢ４サイズでは閾値を変化させないようにしている。
【００４５】
逆に、名刺サイズの場合、図３（Ｃ）（Ｄ）に示すように、特定情報４４ａが切断線４５を跨ぐ形になり、名刺サイズに入る特定情報４４が少なくなる。そのため、閾値Ｎ１を下げるように設定している。
【００４６】
また、読取範囲認識部では、図９に示すような封筒４０にラベル紙４１が貼付されている場合、画像読み取り時にラベル紙４１の紙厚により封筒４０との境界に陰影４２が生じる。通常、封筒４０を原稿サイズと認識した場合、特定情報はラベル紙内にのみ存在するので、原稿サイズの大きさに関わらず、特定情報数が不足することになり、特定情報と認識しない処理を行なうおそれがある。
【００４７】
これを回避するため、機器制御部９の読取範囲認識部では、原稿サイズ情報のみならず、ラベル紙４１の陰影情報も認識するように設定される。
【００４８】
図１０にその制御フローチャートを示す。図に示すように、画像読み取り部１で原稿サイズ検知センサ１１により原稿サイズを読み取る。この際、センサー入力を確認し、特定情報が検出されたか否かを判断する。特定情報があれば、特定情報の数をカウントし、画像処理部で画像処理を行なった後、次に、陰影情報の有無を検出して、特定の陰影情報、例えば、ラベル紙などによって形成される矩形の陰影情報が存在すれば、この陰影情報から特定情報の読取範囲を特定する。
【００４９】
特定の読取範囲から、その大きさ、例えば面積を算出し、その面積から用紙サイズに応じた特定情報数閾値を図８に示すテーブルから算出する。そして、特定情報数が閾値以上か否かを判定し、特定情報数が閾値以上のときは読取を中止し、特定情報に応じた処理を実行する。例えば、印刷処理を中止する。
【００５０】
特定情報数が閾値よりも少ない場合や、特定情報が検出されなかった場合、読取りが完了するまで、上記処理を繰り返し、読取が完了すれば、印刷、送信または記憶などの処理を実行する。
【００５１】
このように、本実施形態では、特定情報読取範囲の大きさに応じて閾値を変更するので、特定情報読取範囲のサイズが小さく、そのため特定情報数が少なくても低い閾値の設定により、検出数が閾値を上回り、特定情報を認識することができる。そのため、コピー禁止などの特定情報に応じた処理を正しく実行することができる。
【００５２】
なお、本発明は、上記実施形態に限定されるものではなく、本発明の範囲内で上記実施形態に多くの修正および変更を加え得ることは勿論である。画像処理装置として、コピーモードおよびファクシミリモードを有する複合機であってもよく、さらにはコピー機、ファクシミリ装置といったように単一のモードだけの専用機であってもよい。
【図面の簡単な説明】
【００５３】
【図１】本発明に係る画像処理装置の概略構成を示す図
【図２】（Ａ）〜（Ｄ）は分割可能な記録用紙の例を示す図
【図３】（Ａ）〜（Ｄ）は分割可能な記録用紙に特定情報を付与した例を示す図
【図４】特定情報読取時の画像処理制御を示すフローチャート
【図５】原稿検知センサを用いた原稿サイズの検出方法を示す図
【図６】原稿検知センサからの入力結果と用紙サイズとの関係を示す図
【図７】用紙サイズと設定閾値との関係を示す図
【図８】用紙面積と特定情報数の閾値との関係を示す図
【図９】原稿が宛名ラベル紙を貼付した封筒である例を示す図
【図１０】宛名ラベル紙を貼付した封筒等の特定情報読取時の画像処理制御を示すフローチャート
【符号の説明】
【００５４】
１    画像読み取り部
２    操作部
３    画像形成部
４    ハードディスク装置
５    通信部
９    機器制御部
１２    入力部
１３    表示部
１４    操作キー
２０    ローカルメモリ
２１    印字部
２５    暗号化復号化部
３０    情報処理装置
４０    封筒
４１    ラベル紙
４２    陰影
４３    原稿（用紙）
４４    特定情報
４４ａ  途切れる特定情報
【図１】
2007300292.tif 000003
【図２】
2007300292.tif 000004
【図３】
2007300292.tif 000005
【図４】
2007300292.tif 000006
【図５】
2007300292.tif 000007
【図６】
2007300292.tif 000008
【図７】
2007300292.tif 000009
【図８】
2007300292.tif 000010
【図９】
2007300292.tif 000011
【図１０】
2007300292.tif 000012